(57)【要約】      （修正有）【課題】柔らかさ、滑らかさ、強度に優れる汎用タイプのティシュペーパーを提供する。【解決手段】保湿剤が塗布されていない２プライのティシュペーパーであって、１プライあたりの坪量が１１．０〜１３．０ｇ／ｍ２で、２プライの紙厚が１２０〜１４０μｍで、柔軟剤化合物として、脂肪酸エステル系化合物と脂肪酸アミド系化合物とを含み、湿潤紙力剤として、ポリアミドエピクロロヒドリンを含み、乾燥紙力剤として、ポリアクリルアミド及びカチオンデンプンの少なくとも一方を含み、パルプ繊維１００質量部に対して脂肪酸エステル系化合物の含有量が０．０１〜０．３０質量部で、脂肪酸アミド系化合物の含有量が０．０１〜０．２０質量部で、湿潤紙力剤の含有量が０．１〜１．０質量部で、乾燥紙力剤の含有量が０．０１〜０．２０質量部で、ＭＭＤが６．８以下で、ソフトネス１．０以下であるティシュペーパーとする。【選択図】なし【特許請求の範囲】
【請求項１】
保湿剤が塗布されていない２プライのティシュペーパーであって、
１プライあたりの坪量が１１．０〜１３．０ｇ／ｍ2であり、
２プライの紙厚が１２０〜１４０μｍであり、
柔軟剤化合物として、脂肪酸エステル系化合物と脂肪酸アミド系化合物とを含み、
湿潤紙力剤として、ポリアミドエピクロロヒドリンを含み、乾燥紙力剤として、ポリアクリルアミド及びカチオンデンプンの少なくとも一方を含み、
前記脂肪酸エステル系化合物の含有量が、パルプ繊維１００質量部に対して０．０１〜０．３０質量部であり、前記脂肪酸アミド系化合物の含有量が、パルプ繊維１００質量部に対して０．０１〜０．２０質量部であり、前記湿潤紙力剤の含有量がパルプ繊維１００質量部に対して０．１〜１．０質量部であり、前記乾燥紙力剤の含有量がパルプ繊維１００質量部に対して０．０１〜０．２０質量部であり、
ＭＭＤが６．８以下であり、ソフトネス１．０以下である、ことを特徴とするティシュペーパー。
【請求項２】
前記湿潤紙力剤及び前記乾燥紙力剤の合計含有量に対する前記柔軟剤化合物の合計含有量の比が０．３０以下である、請求項１記載のティシュペーパー。
【請求項３】
前記脂肪酸アミド系化合物及び前記ポリアミドエピクロロヒドリン、前記ポリアクリルアミドの合計含有量に対する前記脂肪酸エステル系化合物の含有量の比が０．２０以下であることを特徴とする請求項１又は２記載のティシュペーパー。
【請求項４】
保湿剤が塗布されていない２プライのティシュペーパーであって、
１プライあたりの坪量が１１．０〜１３．０ｇ／ｍ2であり、
２プライの紙厚が１２０〜１４０μｍであり、
柔軟剤化合物として、脂肪酸エステル系化合物と脂肪酸アミド系化合物とを含み、
湿潤紙力剤として、ポリアミドエピクロロヒドリンを含み、乾燥紙力剤として、ポリア
クリルアミド及びカチオンデンプンの少なくとも一方を含み、
前記湿潤紙力剤及び前記乾燥紙力剤の合計含有量に対する前記柔軟剤化合物の合計含有量の比が０．３０以下であり、
ＭＭＤが６．８以下であり、ソフトネス１．０以下である、ことを特徴とするティシュペーパー。
【請求項５】
前記脂肪酸アミド系化合物及び前記ポリアミドエピクロロヒドリン、前記ポリアクリルアミドの合計含有量に対する前記脂肪酸エステル系化合物の含有量の比が０．２０以下であることを特徴とする請求項４記載のティシュペーパー。
【請求項６】
保湿剤が塗布されていない２プライのティシュペーパーであって、
１プライあたりの坪量が１１．０〜１３．０ｇ／ｍ2であり、
２プライの紙厚が１２０〜１４０μｍであり、
柔軟剤化合物として、脂肪酸エステル系化合物と脂肪酸アミド系化合物とを含み、
湿潤紙力剤として、ポリアミドエピクロロヒドリンを含み、乾燥紙力剤として、ポリア
クリルアミド及びカチオンデンプンの少なくとも一方を含み、
前記脂肪酸アミド系化合物及び前記ポリアミドエピクロロヒドリン、前記ポリアクリルアミドの合計含有量に対する前記脂肪酸エステル系化合物の含有量の比が０．２０以下であり、ＭＭＤが６．８以下であり、ソフトネス１．０以下である、ことを特徴とするティシュペーパー。
【請求項７】
２プライでのＭＤ方向の乾燥引張強度（Ｔ）が２４０〜３２０ｃＮ／２５ｍｍであり、２プライでのＣＤ方向の乾燥引張強度（Ｙ）が９０〜１４０ｃＮ／２５ｍｍであり、前記乾燥引張強度（Ｔ）と乾燥引張強度（Ｙ）の比（（Ｔ）／（Ｙ））が１．７〜３．０であり、２プライでのＣＤ方向の湿潤引張強度３８ｃＮ／２５ｍｍ以上であり、伸びが１１％以上である、請求項１〜６の何れか１項に記載のティシュペーパー。
【発明の詳細な説明】
【技術分野】
【０００１】
本発明は、ティシュペーパーに関し、特に、保湿剤が塗布されていない汎用ティシュー、汎用タイプとも称される保湿剤非塗布のティシュペーパーに関する。
【背景技術】
【０００２】
ティシュペーパーには、ポリオール等の保湿剤が原紙に外添により付与されたものと、保湿剤が付与されていないティシュペーパーに大別することができる。
【０００３】
保湿剤が付与されたものは保湿ティシュー、薬液付与タイプのティシューなどと称され、その保湿剤による吸湿作用によって、水分率が高められ、柔らかさや滑らかさが向上されている。
【０００４】
これに対して、保湿剤が付与されていないティシュペーパーは、汎用ティシュー、汎用タイプなどとも称される。
【０００５】
この汎用タイプのティシュペーパーは、上記薬液付与タイプのティシュペーパーが、保湿剤の効果による柔らかさの向上に鑑みて、洟かみ、フェイシャル用途に特化しているのに対して、洟かみ、フェイシャル用途のみならず、埃、塵の拭取りなどにも用いられ、その用途が多岐に亘り、特に、低価格であることが求められる。
【０００６】
しかしながら、汎用タイプのティシュペーパーにおいても、洟かみ、フェイシャル用途に用いられる頻度は、非常に高く、その柔らかさや滑らかさなどは需用者において求められるところである。
【０００７】
従来、この汎用タイプのティシュペーパーにおける品質の向上、特に柔らかさについては、原料パルプのコストに拘泥される比較的低い坪量、薬液非塗布といった条件のもと、内添の柔軟剤を用い紙自体の紙力を低下させる手法が採られてきた。
【０００８】
しかし、この内添の柔軟剤によって紙力を低下させる手法では、十分な紙力を得ることが難しくなり、特に、表面の滑らかさが感じられるまで紙力を低下させると、極めて脆弱な紙力となってしまう。すなわち、従来のように単に、内添の柔軟剤を加えるのみでは、柔らかさを発現させることはできるが、加えて滑らかさと十分な強度の三要件を、ともに十分に発現させることが困難であった。
【０００９】
このため、従来の汎用タイプのティシュペーパーは、ある程度の柔らかさがあって、埃、塵の拭取りなどでは使用上問題がないものの、洟かみや肌の清拭などの身体表面を擦るようにして使用する際、特に洟かみを複数回くりかえした際に、鼻が赤くなるという問題や、洟をかんだ際に、ティシュペーパーが破れて洟水が手に付着するという問題が生ずることが多々あった。
【先行技術文献】
【特許文献】
【００１０】
【特許文献１】特許第４８７５４８８号
【特許文献２】特許第４４５０５５２号
【特許文献３】特許第４６５８０５６号
【発明の概要】
【発明が解決しようとする課題】
【００１１】
そこで、本発明の主たる課題は、柔らかさに加え、滑らかさにも優れ、洟かみや肌の清拭時に肌を擦るようにして使用しても、肌への負担が少なく肌表面を傷めず、そのうえ洟をかんださいに破れにくい強度を有する、ポリオール等の保湿剤が外添されていない汎用タイプとも称される保湿剤非塗布のティシュペーパーを提供することにある。
【課題を解決するための手段】
【００１２】
上記課題を解決するための手段は次のとおりである。
【００１３】
〔請求項１記載の発明〕
保湿剤が塗布されていない２プライのティシュペーパーであって、
１プライあたりの坪量が１１．０〜１３．０ｇ／ｍ2であり、
２プライの紙厚が１２０〜１４０μｍであり、
柔軟剤化合物として、脂肪酸エステル系化合物と脂肪酸アミド系化合物とを含み、
湿潤紙力剤として、ポリアミドエピクロロヒドリンを含み、乾燥紙力剤として、ポリアクリルアミド及びカチオンデンプンの少なくとも一方を含み、
前記脂肪酸エステル系化合物の含有量が、パルプ繊維１００質量部に対して０．０１〜０．３０質量部であり、前記脂肪酸アミド系化合物の含有量が、パルプ繊維１００質量部に対して０．０１〜０．２０質量部であり、前記湿潤紙力剤の含有量がパルプ繊維１００質量部に対して０．１〜１．０質量部であり、前記乾燥紙力剤の含有量がパルプ繊維１００質量部に対して０．０１〜０．２０質量部であり、
ＭＭＤが６．８以下であり、ソフトネス１．０以下である、ことを特徴とするティシュペーパー。
【００１４】
〔請求項２記載の発明〕
前記湿潤紙力剤及び前記乾燥紙力剤の合計含有量に対する前記柔軟剤化合物の合計含有量の比が０．３０以下である、請求項１記載のティシュペーパー。
【００１５】
〔請求項３記載の発明〕
前記脂肪酸アミド系化合物及び前記ポリアミドエピクロロヒドリン、前記ポリアクリルアミドの合計含有量に対する前記脂肪酸エステル系化合物の含有量の比が０．２０以下であることを特徴とする請求項１又は２記載のティシュペーパー。
【００１６】
〔請求項４記載の発明〕
保湿剤が塗布されていない２プライのティシュペーパーであって、
１プライあたりの坪量が１１．０〜１３．０ｇ／ｍ2であり、
２プライの紙厚が１２０〜１４０μｍであり、
柔軟剤化合物として、脂肪酸エステル系化合物と脂肪酸アミド系化合物とを含み、
湿潤紙力剤として、ポリアミドエピクロロヒドリンを含み、乾燥紙力剤として、ポリアクリルアミド及びカチオンデンプンの少なくとも一方を含み、
前記湿潤紙力剤及び前記乾燥紙力剤の合計含有量に対する前記柔軟剤化合物の合計含有量の比が０．３０以下であり、
ＭＭＤが６．８以下であり、ソフトネス１．０以下である、ことを特徴とするティシュペーパー。
【００１７】
〔請求項５記載の発明〕
前記脂肪酸アミド系化合物及び前記ポリアミドエピクロロヒドリン、前記ポリアクリルアミドの合計含有量に対する前記脂肪酸エステル系化合物の含有量の比が０．２０以下であることを特徴とする請求項４記載のティシュペーパー。
【００１８】
〔請求項６記載の発明〕
保湿剤が塗布されていない２プライのティシュペーパーであって、
１プライあたりの坪量が１１．０〜１３．０ｇ／ｍ2であり、
２プライの紙厚が１２０〜１４０μｍであり、
柔軟剤化合物として、脂肪酸エステル系化合物と脂肪酸アミド系化合物とを含み、
湿潤紙力剤として、ポリアミドエピクロロヒドリンを含み、乾燥紙力剤として、ポリアクリルアミド及びカチオンデンプンの少なくとも一方を含み、
前記脂肪酸アミド系化合物及び前記ポリアミドエピクロロヒドリン、前記ポリアクリルアミドの合計含有量に対する前記脂肪酸エステル系化合物の含有量の比が０．２０以下であり、ＭＭＤが６．８以下であり、ソフトネス１．０以下である、ことを特徴とするティシュペーパー。
【００１９】
〔請求項７記載の発明〕
２プライでのＭＤ方向の乾燥引張強度（Ｔ）が２４０〜３２０ｃＮ／２５ｍｍであり、２プライでのＣＤ方向の乾燥引張強度（Ｙ）が９０〜１４０ｃＮ／２５ｍｍであり、前記乾燥引張強度（Ｔ）と乾燥引張強度（Ｙ）の比（（Ｔ）／（Ｙ））が１．７〜３．０であり、２プライでのＣＤ方向の湿潤引張強度３８ｃＮ／２５ｍｍ以上であり、伸びが１１％以上である、請求項１〜６の何れか１項に記載のティシュペーパー。
【発明の効果】
【００２０】
以上の本発明によれば、柔らかさ、滑らかさに優れ、洟かみや肌の清拭時に肌を擦るようにして使用しても、肌への負担が少なく肌表面を傷めず、そのうえ洟をかんださいに破れにくい強度を有する、汎用タイプとも称される保湿剤非塗布のティシュペーパーが提供される。
【図面の簡単な説明】
【００２１】
【図１】本発明に係るＭＭＤの測定方法を説明するための図である。
【発明を実施するための形態】
【００２２】
以下、本発明の実施形態を説明する。本発明に係るティシュペーパーは、汎用ティシュー、汎用タイプなどとも称される、保湿剤が塗布等によって外添されていない保湿剤非塗布のティシュペーパーである。なお、本発明に係る外添剤としての保湿剤は、グリセリン、ジグリセリン、プロピレングリコール、１，３−ブチレングリコール、ポリエチレングリコール等の多価アルコール、ソルビトール、グルコース、キシリトール、マルトース、マルチトール、マンニトール、トレハロース等の糖類といったポリオールが例示できる。
【００２３】
このティシュペーパーのプライ数は、２プライであり、その紙厚は２プライで１２０〜１４０μｍであり、１プライあたりの坪量は、１１．０〜１３．０ｇ／ｍ2である。紙厚が１２０μｍ未満となると後述の下記要件（１）〜（４）との関係で十分な強度、特に洟かみ時にやぶれない十分な強度を確保するのが難しくなり、紙厚１４０μｍを超えると柔らかさが発現し難くなる。また、坪量についても１１．０ｇ／ｍ2を下回ると、下記要件（１）〜（４）との関係で十分な強度を確保し難くなる。反対に、坪量が１３．０ｇ／ｍ2を超えると、柔らかさが発現し難くなる。また、この坪量１１．０〜１３．０ｇ／ｍ2という坪量は、原料パルプとの関係で、汎用タイプとしてのコストを確保する観点からも重要な範囲である。つまり、上記範囲を超えるような坪量であると、原料コストとの関係で、所謂汎用タイプとしての商品訴求力を確保する価格とするのが困難となる。
【００２４】
ここで、本発明における坪量とは、ＪＩＳ  Ｐ  ８１２４（１９９８）に基づいて測定した値を意味し、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。この紙厚測定の具体的手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。測定を１０回行って得られる平均値とする。
【００２５】
他方、本発明に係るティシュペーパーは、上記坪量及び紙厚の範囲内において、換言すれば汎用タイプとしての上記坪量及び紙厚である制約のもと、特徴的に、柔らかさ、滑らかさ、十分な強度の三要件を十分に向上すべく、特定の、柔軟剤化合物、湿潤紙力剤、乾燥紙力剤の組み合わせとする。
【００２６】
その本発明に係るティシュペーパーにおける前記柔軟剤化合物は、脂肪酸エステル系化合物と脂肪酸アミド系化合物であり、湿潤紙力剤は、ポリアミドエピクロロヒドリンであり、乾燥紙力剤は、ポリアクリルアミド及びカチオンデンプンの少なくとも一方である。
【００２７】
本発明に係る前記脂肪酸エステル系化合物は、カチオン性の脂肪酸エステル系化合物、ノニオン性の脂肪酸エステル系化合物のいずれでもよいが、その両者が含まれているのが望ましい。また、脂肪酸エステル系化合物としては、多炭素数が６〜２４のアルコールと炭素数７〜２５の脂肪酸との化合物であるのが望ましい。アルコールは、直鎖アルコール、分岐鎖を有するアルコール、飽和アルコール、及び不飽和アルコールの何れでも良い。特に、炭素数が１０〜２２のアルコールが好ましく、ラウリルアルコール、ミリスチルアルコール、セチルアルコール、ステアリルアルコール、ベヘニルアルコール、及びオレイルアルコールが好ましい。これらはその一種を単独で用いても良いし、二種以上を併用しても良い。また、炭素数７〜２５の脂肪酸としては、直鎖脂肪酸、分岐鎖を有する脂肪酸、飽和脂肪酸、及び不飽和脂肪酸の何れでも良い。特に、炭素数が１０〜２２の脂肪酸が好ましく、ラウリン酸、ミリスチン酸、パルミチン酸、ステアリン酸、ベヘン酸、及びオレイン酸が好ましい。これらはその一種を単独で用いても良いし、二種以上を併用しても良い。
【００２８】
また、本発明に係る前記脂肪酸アミド系化合物は、ポリアルキレンポリアミンおよびカルボン酸を反応させて得ることができる。好適なポリアルキレンポリアミンは、分子中に少なくとも３個のアミノ基を有する、次式（１）で示されるものである。
【００２９】
Ｈ２Ｎ−（Ｒ１−ＮＨ−）ｎ−Ｒ１−ＮＨ２・・・（１）
（Ｒ１は各々独立して炭素数１〜４のアルキレン基、ｎは１〜３の整数）
【００３０】
このポリアクリルアミンにおいては、分子中に異なるＲ１が存在していてもよい。また、２種以上のポリアルキレンポリアミンを用いることも可能である。好ましいＲ１はエチレン基である。
【００３１】
一方、前記カルボン酸としては、炭素数１０〜２４のカルボン酸が望ましく、飽和カルボン酸、不飽和カルボン酸のいずれであってもよい。また、直鎖状カルボン酸、分岐鎖を有するカルボン酸のいずれであってもよい。中でも炭素数１２〜２２のカルボン酸が好ましく、特に炭素数１４〜１８のカルボン酸が好ましい。
【００３２】
そして、本発明に係るティシュペーパーは、そのＭＭＤが６．８以下である。ＭＭＤは、滑らかさの指標であり、上記範囲であれば、使用時に表面の滑らかさが非常に感じられるものとなる。概ね、洟かみや肌の清拭時に肌を擦るようにして使用しても、肌への負担が少なく肌表面を傷め難くなる。
【００３３】
ここで、ＭＭＤの測定は、図１に示す測定装置を用い、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させ、このときの、摩擦係数を、摩擦感テスター  ＫＥＳ−ＳＥ（カトーテック株式会社製）を用いて測定する。その摩擦係数を摩擦距離（移動距離＝２ｃｍ）で除した値がＭＭＤである。摩擦子は、直径０．５ｍｍのピアノ線Ｐを２０本隣接させてなり、長さ及び幅がともに１０ｍｍとなるように形成された接触面を有するものとする。接触面には、先端が２０本のピアノ線Ｐ（曲率半径０．２５ｍｍ）で形成された単位膨出部が形成されているものとする。
【００３４】
本発明に係るＭＭＤの範囲への調整は、上記坪量及び紙厚において上記の柔軟剤化合物、乾燥紙力剤、そして特に湿潤紙力剤を本発明に係るパルプ繊維に対する質量比で含有せしめることで容易に達成でき、また、さらなる調整を、乾燥引張強度等と同様に、製造時のクレープ率やパルプ繊維の種類及び組成比によって行うことができる。
【００３５】
他方、本発明に係るティシュペーパーは、そのソフトネス１．０以下である。ソフトネスは、柔らかさの指標であり、上記範囲であれば、使用時にしなやかで柔らかさが非常に感じられるものとなる。
【００３６】
ここで、ソフトネスは、ＪＩＳ  Ｌ  １０９６  Ｅ法に準じたハンドルオメータ法に基づいて測定した値をいう。但し、試験片は１００ｍｍ×１００ｍｍの大きさとし、クリアランスは５ｍｍとする。１プライで縦方向、横方向の各々５回ずつ測定し、その全１０回の平均値とする、なお、ソフトネスは、無単位であるが、試験片の大きさを考慮して、ｃＮ／１００ｍｍを単位として表されることもある。
【００３７】
本発明に係るティシュペーパーは、上記ＭＭＤ及びソフトネスを達成すべく、上記坪量及び特定の柔軟剤化合物、湿潤紙力剤及び乾燥紙力剤の使用のもと特徴的に下記（１）〜（３）の何れか又はその組み合わせの要件を満たすようにする。
【００３８】
すなわち（１）脂肪酸エステル系化合物の含有量が、パルプ繊維１００質量部に対して０．０１〜０．３０質量部、脂肪酸アミド系化合物の含有量が、パルプ繊維１００質量部に対して０．０１〜０．２０質量部、湿潤紙力剤の含有量がパルプ繊維１００質量部に対して０．１〜１．０質量部、乾燥紙力剤の含有量がパルプ繊維１００質量部に対して０．０１〜０．２０質量部。
【００３９】
（２）湿潤紙力剤及び乾燥紙力剤の合計含有量に対する柔軟剤化合物の合計含有量の比（（柔軟剤化合物）／（湿潤紙力剤＋乾燥紙力剤））が０．３０以下。
【００４０】
（３）脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド））が０．２０以下。
【００４１】
本発明に係るＭＭＤ及びソフトネスの範囲への調整は、上記坪量及び紙厚において上記の柔軟剤化合物、乾燥紙力剤、湿潤紙力剤を用い、さらに上記（１）〜（３）の要件を満たすことで容易に達成でき、さらなる調整については、製造時のクレープ率やパルプ繊維の種類及び組成比によって行うことができる。
【００４２】
上記（１）の要件に関しては、本発明に係るティシュペーパーは、柔軟剤化合物として、脂肪酸エステル系化合物と脂肪酸アミド系化合物の組み合わせとし、さらに湿潤紙力剤としてポリアミドエピクロロヒドリン、乾燥紙力剤としてポリアクリルアミド及びカチオンデンプンの少なくとも一方の組み合わせとするとともに、各々の含有量を上記範囲とすることにより、柔らかさ、滑らかさ及び強度が十分に向上されたものとなる。
【００４３】
つまり、本発明に係るティシュペーパーは、上記の限定した特定の柔軟剤化合物、湿潤紙力剤及び乾燥紙力剤を用い、さらに所定のパルプ繊維に対する質量比とすることで、薬液非塗布の汎用タイプでありながら、各々の薬剤の効果が阻害されず相乗の効果が得られる。柔軟剤化合物によるコシの低下等による柔らかさの発現を達成しつつ、柔軟剤化合物の弊害である紙力の低下をその柔軟剤化合物の効果を阻害せずに紙力が向上され、柔らかさ及び滑らかさの向上と紙力の維持がなされるのである。ここで、上記柔軟剤化合物、湿潤紙力剤及び乾燥紙力剤は、汎用タイプのティシュペーパーの製造方法の常法に従って、内添剤として用いられる。すなわち、パルプ繊維となる原料パルプに対して、柔軟剤化合物、湿潤紙力剤及び乾燥紙力剤を添加した抄紙原料（紙料とも言われる）を抄紙することによって製造する。
【００４４】
上記（２）の要件に関しては、本発明に係るティシュペーパーは、柔軟剤化合物として、脂肪酸エステル系化合物と脂肪酸アミド系化合物の組み合わせとし、さらに湿潤紙力剤としてポリアミドエピクロロヒドリン、乾燥紙力剤としてポリアクリルアミド及びカチオンデンプンの少なくとも一方の組み合わせとするとともに、湿潤紙力剤及び乾燥紙力剤の合計含有量に対する柔軟剤化合物の合計含有量の比を０．３０以下とすることで、柔らかさ、滑らかさ及び強度が十分に向上されたものとなる。つまり、上記範囲とすることで、柔軟剤化合物によるコシの低下等による柔らかさの発現を達成しつつ、柔軟剤化合物の弊害である紙力の低下をその柔軟剤化合物の効果を阻害せずに紙力が向上され、柔らかさ及び滑らかさの向上と紙力の維持がなされるのである。ここで、柔軟剤化合物の比率が高く０．３０を超えると、柔軟剤化合物による紙力の低下を抑えられなくなり、パルプ繊維を叩解して紙力を向上させる手法を取らなくてはならず、これによりパルプ繊維が傷つくことで滑らかさの悪化につながるとともに、柔らかさの改善も見込めない。また、湿潤紙力剤と乾燥紙力剤の比率が低く０．３０を超える場合、紙力の発現が難しくなる。
【００４５】
（３）の要件に関しては、本発明に係るティシュペーパーは、脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド））が０．２０以下とすることで、柔らかさ、滑らかさ及び強度が十分に向上されたものとなる。
【００４６】
脂肪酸エステル系化合物は、ティシュペーパー表面の濡れ性やふっくらさ（ふんわりさ）を改善する効果を有し、脂肪酸アミド系化合物、ポリアミドエピクロロヒドリン、ポリアクリルアミド、カチオンデンプンは、繊維表面をコーティングする効果を有し、これらの柔軟剤化合物、湿潤紙力剤及び乾燥紙力剤を用いることで、柔らかさのみならず表面の滑らかさが向上される。特に、汎用タイプのティシュペーパーの製造方法の常法に従って内添剤として用いることで、ヤンキドライヤーで湿紙乾燥がなされる際に、脂肪酸エステル系化合物がパルプ繊維になじむとともに、脂肪酸アミド系化合物、ポリアミドエピクロロヒドリン、ポリアクリルアミド、カチオンデンプンがパルプ繊維をコーティングする効果が助長され、滑らかさが向上する。但し、これら特定の柔軟剤化合物、湿潤紙力剤及び乾燥紙力剤を用いても、上述の坪量、紙厚の範囲において上記（３）の要件を満たさない場合には、滑らかさが発現しがたい。つまり、坪量及び紙厚が上記範囲外となると密度が疎となり、本発明に係る特定の柔軟剤化合物、湿潤紙力剤及び乾燥紙力剤を用いてもパルプ繊維自体のざらつきが感じられて、滑らかさが感じられがたいものとなる。
【００４７】
なお、特に上記（２）〜（３）の要件においては、柔軟剤化合物、湿潤紙力剤及び乾燥紙力剤における上記パルプ繊維に対する質量比で含有することに拘泥されないが、上記（１）の要件とともに満たすようにすると滑らかさ、柔らかさ、紙力の向上効果において特に顕著な効果が見られる。なお、上記（２）及び（３）の要件における含有量とは、パルプ繊維当たりの質量部を基準とする。
【００４８】
さらに、本発明にかかるティシュペーパーは、２プライでのＭＤ方向の乾燥引張強度（Ｔ）と２プライでのＣＤ方向の乾燥引張強度（Ｙ）の比（（Ｔ）／（Ｙ））（以下、縦横比ともいう）が１．７〜３．０であるのが望ましい。この範囲とすることで、さらなる紙力の向上が図られている。すなわち、柔軟剤化合物による柔らかさの発現、湿潤紙力剤及び乾燥紙力剤による柔軟剤化合物による紙力の低下を補うだけでなく、繊維配向性を調整することによって一層の紙力向上と柔らかさ、滑らかさの向上がなされる。上記各添加剤に加えて所定の縦横比とすることによって、薬液非塗布の汎用タイプでありながら、柔らかさ、滑らかさと紙力がこれまで以上に向上されるのである。
【００４９】
ここで、本発明に係るティシュペーパーにおける具体的な乾燥引張強度は、２プライでのＭＤ方向（縦方向とも言われる）の乾燥引張強度（Ｔ）が２４０〜３２０ｃＮ／２５ｍｍであり、２プライでのＣＤ方向（横方向とも言われる）の乾燥引張強度（Ｙ）が９０〜１４０ｃＮ／２５ｍｍである。ＭＤ方向及びＣＤ方向の乾燥時の紙力の指標である乾燥引張強度が上記範囲であれば使用時における十分な乾燥時の紙力といえる。この乾燥引張強度とするには、上記坪量及び紙厚において上記の柔軟剤化合物、乾燥紙力剤さらに湿潤紙力剤を用い上記（１）〜（３）の要件を満たす範囲で容易に達成できる。さらに、詳細な調整は、製造時のクレープ率やパルプ繊維の種類及び組成比によって行うことができる。また、前記縦横比の調整は、抄紙原料、すなわち原料パルプに対して内添剤を配合したスラリー状の抄紙原料を、その濃度を考慮して、ヘッドボックスからワイヤーやフェルト等の所謂抄紙網に吐出する際における吐出速度を調整して、繊維配向性を調整することで達成される。また、さらなる調整としてクレープ率によって調整することができる。
【００５０】
本発明に係るティシュペーパーにおいては、この縦横比とする、換言すればパルプの繊維配向性をやや縦方向に向けるように調整することで、より一層、使用時における強度、特に縦方向とにおける紙力のバランスに優れ、使用時に破れがたいものとなるとともに、柔らかさと滑めらかさも向上する。この縦横比の範囲において、柔らかさ、滑らかさが発現するメカニズムは、ティシュペーパーが微細なクレープを有するという特質に関係する。つまり、ティシュペーパーは、ＭＤ方向に沿って山谷が連続するクレープを有するためＭＤ方向に伸び易く、破れにくいとともに、その山谷に沿う方向、換言すればＣＤ方向に沿って折れ曲がりやすくなっている。その一方で、ＣＤ方向はクレープの山谷のエッジが位置するため伸び難く破れやすいとともに、ＭＤ方向に沿って折れ曲がりにくい。本願発明に係るティシュペーパーに係る縦横比を達成する繊維配向性、すなわちパルプ繊維がやや縦方向に向かうように調整されている場合には、ティシュペーパーがＣＤ方向に折れ曲がり易くなっているとともに、エッジがＣＤ方向に向かう繊維が少なくなっているため、全体として十分な紙力を発現しつつも柔らかさと滑らかさが向上するのである。
【００５１】
なお、本発明に係る乾燥引張強度とは、ＪＩＳ  Ｐ  ８１１３（１９９８）の引張試験に基づいて測定した値をいう。
【００５２】
他方、本発明に係るティシュペーパーの製造時における好ましいクレープ率は、１３〜２０％である。クレープ率が１３％未満となると、本願発明に係る柔軟剤化合物、湿潤紙力剤、乾燥紙力剤及び乾燥引張強度（Ｔ）と乾燥引張強度（Ｙ）の比（（Ｔ）／（Ｙ））との関係で十分な伸び、柔らかさを確保するのが難しくなり、２０％を超えると、滑らかさが発現し難くなる。
【００５３】
他方、本発明に係るティシュペーパーにおける具体的な湿潤引張強度は、２プライでのＣＤ方向の湿潤引張強度が３８ｃＮ／２５ｍｍ以上であるのが望ましい。湿潤時の紙力の指標である湿潤引張強度が上記範囲であれば、使用時、特に洟をかむ操作をしても破れるおそれが格段に小さくなる。この湿潤引張強度とするには、上記坪量及び紙厚において上記の柔軟剤化合物、乾燥紙力剤、そして特に湿潤紙力剤を用い、上記（１）〜（３）の要件を満たすことで容易に達成できる。さらなる調整は、乾燥引張強度と同様に、製造時のクレープ率やパルプ繊維の種類及び組成比によって行うことができる。
【００５４】
なお、本発明に係る湿潤引張強度とは、ＪＩＳ  Ｐ  ８１３５（１９９８）の引張試験に基づいて測定した値をいう。
【００５５】
また、本発明に係るティシュペーパーは、その伸びは１１％以上であるのが望ましい。ここで、伸びは、ＪＩＳ  Ｐ  ８１３２の試験方法に基づいてロードセル引張試験機（Ｍｉｎｅｂｅａ  テクノグラフＴＧ−２００Ｎ）にて測定した値をいう。試験片は２５ｍｍの幅とし、２プライで縦方向に５回測定し、その平均値とする。
【００５６】
他方、本発明に係るティシュペーパーにおけるパルプ繊維は、ＮＢＫＰ（針葉樹クラフトパルプ）とＬＢＫＰ（広葉樹クラフトパルプ）とを配合したものが望ましい。特に、パルプ繊維が、ＮＢＫＰとＬＢＫＰのみから構成されているのがよく、配合割合が、ＮＢＫＰ：ＬＢＫＰ＝２０：８０〜８０：２０がよく、特に、ＮＢＫＰ：ＬＢＫＰ＝３０：７０〜６０：４０が望ましい。このＮＢＫＰとＬＢＫＰとの配合比によって、紙力、ソフトネス等を調整することができる。
【実施例】
【００５７】
次いで、本発明に係るティシュペーパーの実施例と比較例を作成し、その引張強度、ＭＭＤ、ソフトネス等の物性値を測定した。各例における組成・物性値は、下記表１に示すとおりである。
【００５８】
【表１】
2017006168.tif 000002
【００５９】
表１の結果によれば、本発明に係る柔軟剤化合物、湿潤紙力剤、乾燥紙力剤を用い、さらに本発明に係る要件を満たす実施例１〜４については、引張強度、ＭＭＤ、ソフトネスともに本発明の範囲内となっており、柔らかさだけでなく、滑らかさ及び強度についても十分に発現し高いものとなっている。
【００６０】
ここで、表１において注目すべきは、比較例の結果である。まず、比較例１は、柔軟剤化合物として脂肪酸エステル系化合物のみを用いたものであるが、この場合、滑らかさの指標であるＭＭＤは、本発明に係る６．８以下を達成できているが、柔らかさの指標であるソフトネスが１．０以下を達成できていない。一般には、脂肪酸アミド化合物は、コーティング作用によって滑らかさを高める効果を有するとされるが、比較例１では、脂肪酸アミド系化合物が配合されていないにも関わらず、滑らかさについては十分であるものソフトネスについては不十分との結果となった。つまり、柔軟剤化合物として、脂肪酸エステル系化合物を増量しただけでは、柔らかさが十分に発現せず、脂肪酸アミド化合物とともに本発明の範囲で用いることで柔らかさが発現する。
【００６１】
さらに、比較例２は、柔軟剤化合物として脂肪酸エステル系化合物及び脂肪酸アミド系化合物の双方を用いているが、脂肪酸アミド系化合物が多く本発明の範囲外となっている例である。この比較例２では、ソフトネスは、１．０以下を達成したが、ＭＭＤの値が７．２と高くなってしまっており、滑らかさが十分に発現されていない。注目すべき柔軟剤化合物の含有量と、湿潤紙力剤と乾燥紙力剤の含有量との比が１．５２となっており、脂肪酸アミド系化合物は上記のとおりコーティング作用によって表面を滑らかにする作用を有するとされるが、必要以上に増量した場合には、おそらくは乾燥紙力剤との相乗によって過度に紙力が高まり、また、表面を過度にコーティングすることによって表面に硬さが発現して却って滑らかさが低下するのではないかと考えられる。また、柔軟剤化合物の高配合によってヤンキドライヤーに対する付着が不十分となり、適切なクレープが形成されてないことも要因として考えられる。
【００６２】
他方、比較例３は、比較例２よりも脂肪酸エステル系化合物の配合比を高め、脂肪酸アミド系化合物の量を若干低めたものであるが、柔軟剤化合物の含有量と、湿潤紙力剤と乾燥紙力剤の含有量との比が０．５７であり、本発明の範囲外となっている。この比較例３においては、ＭＭＤ及びソフトネスとも十分に高まらなかった。このことから、脂肪酸アミド系化合物と脂肪酸エステル系化合物とを用いても、本発明の範囲外では、柔らかさや滑らかさが高まるわけではないことが知見される。
【００６３】
さらに、比較例４は、柔軟剤化合物を用いず、紙厚を厚くして密度を疎にし、さらに縦横比も本発明の範囲外にしたものであるが、この比較例４では、ＭＭＤ、ソフトネスともに非常に高い結果となった。
【００６４】
以上の実施例及び比較例の結果から本発明に係るティシュペーパーにしたがって、本発明に係る柔軟剤化合物、湿潤紙力剤、乾燥紙力剤を用い、上記（１）〜（３）の要件を満たすようにすることで、柔らかさ、滑らかさ、強度が向上して発現し、もって、洟かみや肌の清拭時に肌を擦るようにして使用しても、肌への負担が少なく肌表面を傷めず、そのうえ洟をかんださいに破れにくい強度を有する、汎用タイプとも称される保湿剤非塗布のティシュペーパーが得られる。
【符号の説明】
【００６５】
１・・・ＭＭＤ測定装置
【図１】
2017006168.tif 000003